(57)【特許請求の範囲】
【請求項１】
情報処理装置であって、
資産情報取得部、予測部、画像生成部及び設定部を備え、
前記資産情報取得部は、ユーザーの資産に関する資産情報を取得可能に構成され、
前記予測部は、予め定められた時点における前記ユーザーの資産額を予測する予測処理を実行可能に構成され、
前記画像生成部は、第１画像、第２画像及び第４画像を生成可能に構成され、
前記第１画像は、前記予測部により予測された資産額であって、前記特定時点における資産額を含む画像であり、
前記第２画像は、資産運用額を仮設定可能な画像であり、
前記第４画像は、予め定められた期間において、前記ユーザーが節約する節約額を設定可能な画像であり、
前記画像生成部は、前記第２画像に基づいて仮設定された前記資産運用額に応じて、前記第１画像を変化可能に構成され、
前記画像生成部は、前記第２画像及び前記第４画像がユーザー端末の表示部における同一画面に表示されるように、前記第２画像及び前記第４画像を生成し、ここで、前記ユーザー端末は、前記ユーザーが利用する端末であり、
前記画像生成部は、前記第４画像に対する操作により前記節約額が変更された場合に、前記予測処理が実行され、前記第１画像を変化可能に構成され、
前記設定部は、前記第４画像に基づいて設定された前記節約額に基づいて、前記仮設定可能な前記資産運用額の上限値を設定可能に構成される、
情報処理装置。
【請求項２】
情報処理装置であって、
資産情報取得部、予測部、及び画像生成部を備え、
前記資産情報取得部は、ユーザーの資産に関する資産情報を取得可能に構成され、
前記予測部は、予め定められた時点における前記ユーザーの資産額を予測する予測処理を実行可能に構成され、
前記画像生成部は、第１画像、第２画像及び第４画像を生成可能に構成され、
前記第１画像は、前記予測部により予測された資産額であって、前記特定時点における資産額を含む画像であり、
前記第２画像は、資産運用額を仮設定可能な画像であり、
前記第４画像は、予め定められた期間において、前記ユーザーが節約する節約額を設定可能な画像であり、
前記画像生成部は、前記第２画像に基づいて仮設定された前記資産運用額に応じて、前記第１画像を変化可能に構成され、
前記画像生成部は、前記第２画像及び前記第４画像がユーザー端末の表示部における同一画面に表示されるように、前記第２画像及び前記第４画像を生成し、ここで、前記ユーザー端末は、前記ユーザーが利用する端末であり、
前記画像生成部は、前記第４画像に対する操作により前記節約額が変更された場合に、前記予測処理が実行され、前記第１画像を変化可能に構成され、
前記画像生成部は、予め定められた期間にわたって前記ユーザーの口座残高が予め定められた基準ラインを上回った場合、前記ユーザーによる入力操作を受付可能な前記第２画像を生成可能に構成される、
情報処理装置。
【請求項３】
請求項２に記載の情報処理装置において、
設定部を備え、
前記設定部は、前記第４画像に基づいて設定された前記節約額に基づいて、前記仮設定可能な前記資産運用額の上限額を設定可能に構成される、
情報処理装置。
【請求項４】
請求項１〜請求項３の何れか１つに記載の情報処理装置において、
前記画像生成部は、第３画像を生成可能に構成され、
前記第３画像は、理想額を含む画像であり、ここで、前記理想額は、現在から前記予め定められた時点までの特定時点における資産であって、予め定められた額であり、
前記画像生成部は、前記第１画像及び前記第３画像がユーザー端末の表示部における同一画面に表示されるように、前記第１画像及び前記第３画像を生成し、ここで、前記ユーザー端末は、前記ユーザーが利用する端末である、
情報処理装置。
【請求項５】
請求項１〜請求項４の何れか１つに記載の情報処理装置において、
前記予測部は、前記第２画像に基づいて前記資産運用額が仮設定されると、前記仮設定された前記資産運用額に基づいて、前記予測処理を実行する、
情報処理装置。
【請求項６】
請求項１〜請求項５の何れか１つに記載の情報処理装置において、
口座情報取得部、及び設定部を備え、
前記資産情報は、前記ユーザーの銀行口座又は仮想口座に関する口座情報を含み、
前記口座情報取得部は、前記口座情報を取得可能に構成され、ここで、前記口座情報は、前記銀行口座若しくは前記仮想口座の残高又は入出金に関する情報を含み、
前記設定部は、前記口座情報取得部により取得された前記口座情報に基づいて、仮設定可能な前記資産運用額の上限額を設定可能に構成される、
情報処理装置。
【請求項７】
請求項１〜請求項６の何れか１つに記載の情報処理装置において、
設定部を備え、
前記設定部は、前記資産情報取得部により取得された前記資産情報に基づいて、前記資産運用額のデフォルト額を設定可能に構成される、
情報処理装置。
【請求項８】
請求項１〜請求項７の何れか１つに記載の情報処理装置において、
受付部を備え、
前記受付部は、前記ユーザーの引退年齢、年金の受給開始年齢、扶養者の数、及び前記扶養者のライフプランの少なくとも１つを表す設定情報を受付可能に構成され、
前記予測部は、前記受付部により受け付けられた前記設定情報に基づいて、前記予測処理を実行する、
情報処理装置。
【請求項９】
請求項８に記載の情報処理装置において、
前記画像生成部は、第５画像を生成可能に構成され、
前記第５画像は、前記引退年齢を設定可能な画像であり、
前記画像生成部は、前記第１画像及び前記第５画像がユーザー端末の表示部における同一画面に表示されるように、前記第１画像及び前記第５画像を生成し、ここで、前記ユーザー端末は、前記ユーザーが利用する端末である、
情報処理装置。
【請求項１０】
請求項９に記載の情報処理装置において、
前記予測部は、前記第５画像に基づいて前記引退年齢が設定されると、前記設定された前記引退年齢に基づいて、前記予測処理を実行する、
情報処理装置。
【請求項１１】
請求項１〜請求項１０の何れか１つに記載の情報処理装置において、
提示部を備え、
前記提示部は、前記第２画像に基づいて仮設定された前記資産運用額に基づいて、予め定められた金融商品を表す金融商品情報を提示可能に構成される、
情報処理装置。
【請求項１２】
請求項１〜請求項１１の何れか１つに記載の情報処理装置において、
選択部及び提示部を備え、
前記選択部は、前記予測部により予測された前記ユーザーの引退年齢の時点における前記ユーザーの資産額に基づいて、複数の提示情報から特定の提示情報を選択可能に構成され、
前記提示部は、前記選択部により選択された前記提示情報を提示可能に構成される、
情報処理装置。
【請求項１３】
プログラムであって、
コンピュータを、請求項１〜請求項１２の何れか１つに記載の情報処理装置として機能させるプログラム。
【発明の詳細な説明】
【技術分野】
【０００１】
本発明は、情報処理装置及びプログラムに関する。
【背景技術】
【０００２】
将来への備えや日常生活のため、お金の管理は重要である。
【０００３】
特許文献１には、過去の入出金だけでなく、短期及び長期の支出入の予定を一括して表示、管理する電子通帳が開示されている。
【先行技術文献】
【特許文献】
【０００４】
【特許文献１】特開２０１５−１２５５３１号公報
【発明の概要】
【発明が解決しようとする課題】
【０００５】
ところで、資産運用に興味をもつ人は近年ますます増加傾向にあると考えられる。このような要求に応じるため、ユーザーに複数の質問に答えてもらい、質問結果からユーザー属性を推定し、ライフプランニングやおすすめの金融商品を提示するサービスが提供されている。しかし、金融リテラシーが高くないユーザーにとっては、質問内容がよく理解できないことや、質問自体が煩雑であると感じることがある。そして、資産運用に不慣れなユーザーは、実際にどの程度の金額を運用すべきかの判断を下すことが困難である。
【０００６】
本発明は、かかる事情を鑑みてなされたものであり、資産運用に不慣れなユーザーであっても、自分に適した資産運用額を把握可能な情報処理装置及びプログラムを提供することを目的とする。
【課題を解決するための手段】
【０００７】
本発明の一態様によれば、情報処理装置であって、資産情報取得部、予測部、及び画像生成部を備え、前記資産情報取得部は、ユーザーの資産に関する資産情報を取得可能に構成され、前記予測部は、予め定められた時点における前記ユーザーの資産額を予測する予測処理を実行可能に構成され、前記画像生成部は、第１画像及び第２画像を生成可能に構成され、前記第１画像は、前記予測部により予測された資産額であって、前記特定時点における資産額を含む画像であり、前記第２画像は、資産運用額を仮設定可能な画像であり、前記第２画像に基づいて仮設定された前記資産運用額に応じて、前記第１画像を変化可能に構成される、情報処理装置が提供される。
【発明の効果】
【０００８】
本発明の一態様によれば、予め定められた時点におけるユーザーの資産額として予測された金額が、仮設定された資産運用額に応じて変化する。これにより、ユーザーは自分がどの程度の額を資産運用に回すことが好ましいかについて直感的に把握することが可能になる。
【図面の簡単な説明】
【０００９】
【図１】本発明の一実施形態に係る情報処理装置１を含むシステム１００の概略図である。
【図２】情報処理装置１のハードウェア構成を示す図である。
【図３】制御部１０の機能ブロック図である。
【図４】ユーザー端末３の表示部３５に表示される画面の一例である。
【図５】図４の状態から引退年齢を変化させた場合の画面の一例である。
【図６】ユーザー端末３の表示部３５に表示される画面の一例である。
【図７】ユーザー端末３の表示部３５に表示される画面の一例である。
【図８】ユーザー端末３の表示部３５に表示される画面の一例である。
【図９】提示情報の一例である。
【図１０】趣味データの一例を表す図である。
【図１１】情報処理装置１の処理の一例を表すアクティビティ図である。
【発明を実施するための形態】
【００１０】
以下、図面を用いて本発明の実施形態について説明する。以下に示す実施形態中で示した各種特徴事項は、互いに組み合わせ可能である。
【００１１】
本明細書において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、０又は１で構成される２進数のビット集合体として信号値の高低によって表され、広義の回路上で通信・演算が実行されうる。
【００１２】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１３】
１．システム１００の概要
図１に示すように、本発明の一実施形態に係るシステム１００は、情報処理装置１及びユーザー端末３を備える。本実施形態では、システム１００はさらに、データベース２を備える。そして、情報処理装置１、データベース２及びユーザー端末３がネットワークＮＷを介して互いに接続されている。情報処理装置１は、例えばサーバにより構成される。データベース２は任意のハードウェアにより構成され、ユーザー端末３のユーザーの資産に関する資産情報を格納する。資産情報には、資産の額、運用額及び運用開始時期、収入、支出、不動産収入、金融商品等に関する情報が含まれる。また、資産情報には、ユーザーの銀行口座又は仮想口座に関する口座情報が含まれてもよい。口座情報は、銀行口座若しくは仮想口座の残高又は入出金に関する情報を含むものである。
【００１４】
データベース２は、銀行、証券会社、その他の金融機関又はＩＴ企業等が運用するものであり、ＡＰＩ（Ａｐｐｌｉｃａｔｉｏｎ  Ｐｒｏｇｒａｍｍｉｎｇ  Ｉｎｔｅｒｆａｃｅ）を介して情報処理装置１と種々のデータを送受信可能に構成される。
【００１５】
ユーザー端末３は、ユーザーが利用する端末であり、任意のコンピュータにより構成される。例えば、スマートフォン、タブレット端末、スマートウォッチ、ノートＰＣ、デスクトップＰＣ、多機能音楽プレーヤー等の多機能端末により構成される。ユーザー端末３は、情報処理装置１が提供するサービスを利用可能な専用のアプリケーションをインストールしていてもよく、かかるサービスがブラウザアプリとして提供される場合、かかるブラウザアプリを利用可能なショートカット登録を済ませていてもよい。また、ユーザー端末３は、表示部３５を備える。表示部３５は、テキストや画像（静止画及び動画を含む）を表示するものであり、任意のディスプレイにより構成される。
【００１６】
２．情報処理装置１のハードウェア構成
図２に示すように、情報処理装置１は、制御部１０、通信部２０、記憶部３０、入力部４０及び表示部５０を備える。
制御部１０は、ＣＰＵ（Ｃｅｎｔｒａｌ  Ｐｒｏｃｅｓｓｉｎｇ  Ｕｎｉｔ）等であって、情報処理装置１の全体を制御する。
通信部２０は、ＮＩＣ（Ｎｅｔｗｏｒｋ  Ｉｎｔｅｒｆａｃｅ  Ｃａｒｄ）等であって、他の情報処理装置又は構成要素と有線又は無線によりデータ通信可能に構成される。
記憶部３０は、種々のプログラム及びデータを記憶するものであり、例えばメモリ、ＨＤＤ（Ｈａｒｄ  Ｄｉｓｋ  Ｄｒｉｖｅ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。また、記憶部３０は、プログラムや種々のデータ等を記憶する。そして、記憶部３０に記憶されているプログラムに基づいて制御部１０が種々の処理を実行することにより、種々の機能が実現する。
入力部４０は、情報処理装置１に種々の情報を入力するものであり、マウス、キーボード、ポインティングデバイス等により構成される。
表示部５０は、テキストや画像（静止画及び動画を含む）を表示するものであり、任意のディスプレイにより構成される。表示部５０は、情報処理装置１がサーバである場合、情報処理装置１に接続されたディスプレイにより構成される。
【００１７】
３．情報処理装置１の機能
図３に示すように、情報処理装置１の制御部１０は、情報処理装置１、資産情報取得部１１、予測部１２、画像生成部１３、口座情報取得部１４、設定部１５、受付部１６、選択部１７、提示部１８を備える。
【００１８】
（資産情報取得部１１）
資産情報取得部１１は、資産情報報取得部は、ユーザーの資産に関する資産情報を取得可能に構成される。資産情報は、ユーザーの銀行口座又は仮想口座に関する口座情報を含んでもよい。口座情報は、銀行口座若しくは仮想口座の残高又は入出金に関する情報を含む。銀行口座は、ユーザーが利用している１又は複数の銀行口座である。また、仮想口座は、ユーザーの給与等の収入（以下、単に給与と称する）が電子マネーで振り込まれる場合、給与に相当する電子マネーがチャージされる仮想の口座であり、給与の電子マネー振り込みに対応するアプリケーション等により構成される。そして、これらの入出金に関する情報は、銀行口座又は仮想口座からの入出金の金額、時期、項目（例：給与、賞与、贈与）等を含む。ここで、資産情報及び口座情報は、データベース２から取得することができる。また、資産情報として、口座預金、定期預金、外貨預金等の比較的流動性の高い資産に関する情報を取得してもよい。
【００１９】
（予測部１２）
予測部１２は、予め定められた時点におけるユーザーの資産額を予測する予測処理を実行可能に構成される。予め定められた時点とは、ユーザーにより任意に選択される将来の時点である。例えば、仕事の引退年齢や、自分が１００歳まで生きると想定した場合、引退年齢又は１００歳となる年、月、日が予め定められた時点となる。予測処理は、上述の資産情報又は口座情報に基づいて実行される。また、市場の変化、外部環境の変化、社会の変化、環境の変化等の情報に加え、予測処理の対象となるユーザーと属性の近い他の人物の資産額の変化等を考慮してもよい。予測部１２は、これらの情報を学習させた学習済の機械学習エンジンにより実現されてもよい。
【００２０】
（画像生成部１３）
（１）第１画像Ｉ１及び第２画像Ｉ２
画像生成部１３は、第１画像Ｉ１及び第２画像Ｉ２を生成可能に構成される。第１画像Ｉ１は、予測部１２により予測された資産額であって、特定時点における資産額を含む画像である。本実施形態では、第１画像Ｉ１は、現在の資産額と将来の特定時点における資産額を含み、資産額の経時変化を表すものである。第２画像Ｉ２は、資産運用額を仮設定可能な画像である。資産運用額は、ユーザーが選択するものであり、資産運用額のシミュレーションのために、任意の資産運用額を仮設定する。そして、実際に資産運用を開始するときに、資産運用額を正式に決定する。ここで、資産運用額の仮設定は、任意の画像により実現される。第２画像Ｉ２は、例えば、スライダー、プラスアイコン／マイナスアイコン、テキスト入力、音声入力のためのアイコンとして構成される。そして、ユーザー端末３の表示部３５に表示された第２画像Ｉ２をユーザーが操作することにより、資産運用額が仮設定される。ここで、ユーザー端末３の表示部３５に表示させた状態において、第１画像Ｉ１と第２画像Ｉ２が同一画面に表示されるようにすることが好ましい。
【００２１】
また、画像生成部１３は、第２画像Ｉ２に基づいて仮設定された資産運用額に応じて、第１画像Ｉ１を変化可能に構成される。例えば、仮設定された資産運用額が高額であり、将来的に得られる利益が大きくなると推定される場合には、仮設定された資産運用額が０の場合における第１画像Ｉ１と、仮設定された資産運用額が高額である場合における第１画像Ｉ１の形状は異なることになる。ここで、ユーザー端末３の表示部３５に表示させた状態において、第１画像Ｉ１と第２画像Ｉ２が同一画面に表示される場合には、第２画像Ｉ２により仮設定された資産運用額が変更されたときに、第１画像Ｉ１の変化も合わせて確認することが可能になる。
【００２２】
予測部１２は、第２画像Ｉ２に基づいて資産運用額が仮設定されると、仮設定された資産運用額に基づいて、予測処理を実行してもよい。これにより、ユーザーが複数の金額を資産運用額として仮設定する毎に予測処理が実行されるので、将来の予め定められた時点における資産の再予測結果を迅速に把握することができる。
【００２３】
（２）第３画像Ｉ３
また、画像生成部１３は、第３画像Ｉ３を生成可能に構成される。第３画像Ｉ３は、理想額を含む画像である。ここで、理想額は、現在から予め定められた時点までの特定時点における資産であって、予め定められた額である。例えば、１００歳まで生きると仮定した場合、「この程度の金額があれば不自由なく現在から１００歳まで生活できる」資産額が理想額である。理想額はユーザーの生活スタイル、生活場所等により異なるため、ユーザー個人の属性を反映させた理想額を用いるのが好ましい。一方、世帯調査等の結果に基づいて、ユーザーと同世代の平均的な資産額を基準に理想額を定めてもよい。
【００２４】
そして、画像生成部１３は、第１画像Ｉ１及び第３画像Ｉ３がユーザー端末３の表示部３５における同一画面に表示されるように、第１画像Ｉ１及び第３画像Ｉ３を生成する。これにより、予測額を含む第１画像Ｉ１と、理想額を含む第３画像Ｉ３とをまとめて確認することができる。ユーザーは、第１画像Ｉ１と第３画像Ｉ３を比較することにより、現在の状況における自己の資産の経年変化が、理想額に達しているのか否かを簡単に把握することが可能になる。
【００２５】
ここで、画像生成部１３は、予め定められた期間にわたってユーザーの口座残高が予め定められた基準ラインを上回った場合、ユーザーによる入力操作を受付可能な第３画像を生成可能に構成されてもよい。具体的には、ユーザーが資産運用を開始するのに最低限の資産を保有している場合に限り、資産運用額の仮設定を許可する第３画像を生成してもよい。これにより、資産運用を開始すべきでないユーザーによる無謀な資産運用を抑制することが可能になる。
【００２６】
（３）第４画像Ｉ４
また、画像生成部１３は、第４画像Ｉ４を生成可能に構成される。第４画像Ｉ４は、予め定められた期間において、ユーザーが節約する節約額を設定可能な画像である。例えば、１ヶ月あたりの節約額の目標額を設定するものであり、スライダー、プラスアイコン／マイナスアイコン、テキスト入力、音声入力のためのアイコンとして構成される。画像生成部１３は、第２画像Ｉ２及び第４画像Ｉ４がユーザー端末３の表示部３５における同一画面に表示されるように、第２画像Ｉ２及び第４画像Ｉ４を生成する。これにより、資産運用額を表す第２画像Ｉ２と、節約額を表す第４画像Ｉ４をまとめて確認することが可能になる。ここで、第２画像Ｉ２及び第４画像Ｉ４に加え、第１画像Ｉ１もまとめて表示させることが好ましい。さらに、これらに加え、第３画像Ｉ３もまとめて表示させることが好ましい。
【００２７】
（４）第５画像Ｉ５
画像生成部１３は、第５画像を生成可能に構成される。第５画像は、引退年齢を設定可能な画像である。引退年齢は、ユーザーが仕事を引退し、定期的な収入が減少する又は無くなると予想される年齢である。画像生成部１３は、第１画像及び第５画像がユーザー端末３の表示部３５における同一画面に表示されるように、第１画像及び第５画像を生成する。予測部１２は、第５画像に基づいて引退年齢が設定されると、設定された引退年齢に基づいて、予測処理を実行してもよい。これにより、ユーザーが引退年齢の候補として複数の年齢を引退年齢として設定する毎に予測処理が実行されるので、将来の予め定められた時点における資産の再予測結果を迅速に把握することができる。
【００２８】
（口座情報取得部１４）
口座情報取得部１４は、口座情報を取得可能に構成される。上述のように、口座情報は、銀行口座若しくは仮想口座の残高又は入出金に関する情報を含む。
【００２９】
（設定部１５）
設定部１５は、口座情報取得部１４により取得された口座情報に基づいて、仮設定可能な資産運用額の上限額を設定可能に構成される。例えば、口座情報から取得した手取額のＸ％を資産運用額の上限額として設定してもよい。また、設定部１５は、資産情報取得部１１により取得された資産情報に基づいて、資産運用額のデフォルト額を設定可能に構成される。ここで、デフォルト額は、情報処理装置１が予めユーザーに提示する資産運用額である。例えば、資産情報（口座情報も含む）から取得した総資産額又は手取額のＹ％を資産運用額のデフォルト額として設定してもよい。
【００３０】
また、設定部１５は、第４画像に基づいて設定された節約額に基づいて、仮設定可能な資産運用額の上限額を設定可能に構成されてもよい。例えば、１ヶ月の節約額を１万円から２万円に増やした場合、増加分の１万円を資産運用額の上限額に加算してもよい。
【００３１】
（受付部１６）
受付部１６は、ユーザーの引退年齢、年金の受給開始年齢、扶養者の数、及び扶養者のライフプランの少なくとも１つを表す設定情報を受付可能に構成される。扶養者には、ユーザーの子供等、ユーザーが生活を保証すべき人物が含まれる。また、扶養者のライフプランとは、将来通わせる学校が公立であるか私立であるか、塾通いをさせるか、留学を想定しているか、等である。予測部１２は、受付部１６により受け付けられた設定情報に基づいて、予測処理を実行する。これにより、ユーザーの設定情報を考慮して将来の資産額を予測することができる。また、ユーザーの設定情報が変更される毎に予測処理が実行されるので、将来の予め定められた時点における資産の再予測結果を迅速に把握することができる。
【００３２】
（選択部１７）
選択部１７は、予測部１２により予測されたユーザーの引退年齢の時点におけるユーザーの資産額に基づいて、複数の提示情報から特定の提示情報を選択可能に構成される。提示情報には任意の内容を含むことができ、趣味に関する趣味データを含んでもよい。本実施形態では、予め定められた時点における資産額に応じて、費用レベル毎に複数の提示情報を準備している。また、提示情報は、記憶部３０に記憶される。
【００３３】
（提示部１８）
提示部１８は、第２画像に基づいて仮設定された資産運用額に基づいて、予め定められた金融商品を表す金融商品情報を提示可能に構成される。ここで、情報処理装置１の提供者が金融商品の提示を許可されている事業者である場合には、提供者が任意に選択した金融商品の情報を提示してもよい。また、情報処理装置１の提供者が金融商品の提示を許可されていない事業者である場合には、他のユーザーが購入する金融商品のランキングを提示してもよい。
【００３４】
また、提示部１８は、選択部１７により選択された特定の提示情報を提示可能に構成されてもよい。かかる提示は、画像、音声、光、その他の手法により実現される。
【００３５】
ここで、情報処理装置１、データベース２、ユーザー端末３を構成する各構成要素は、ソフトウェアによって実現してもよく、ハードウェアによって実現してもよい。ソフトウェアによって実現する場合、ＣＰＵがプログラムを実行することによって各種機能を実現することができる。プログラムは、内蔵の記憶部に格納してもよく、コンピュータ読み取り可能な非一時的な記録媒体に格納してもよい。また、外部の記憶部に格納されたプログラムを読み出し、いわゆるクラウドコンピューティングにより実現してもよい。ハードウェアによって実現する場合、ＡＳＩＣ、ＦＰＧＡ、又はＤＲＰなどの種々の回路によって実現することができる。本実施形態においては、様々な情報やこれを包含する概念を取り扱うが、これらは、０又は１で構成される２進数のビット集合体として信号値の高低によって表され、上記のソフトウェア又はハードウェアの態様によって通信や演算が実行され得るものである。
【００３６】
４．各種画像
次に、図４〜図８を用いて、画像生成部１３により生成されるか、画像生成部１３から受信した画像生成命令に基づいてユーザー端末３により生成された種々の画像について説明する。
【００３７】
（１）メイン画面
図４は、ユーザー端末３によりサービスが起動されたときに表示される画像の一例である。図４の例では、領域Ａ１〜領域Ａ３が含まれる。
・領域Ａ１：将来の引退時における資産の予想額と理想額を比較したコメント及びコメントに連動したアイコンを含む領域
・領域Ａ２：資産予想額（第１画像Ｉ１）、理想額（第３画像Ｉ３）、引退年齢（第５画像Ｉ５）を含む領域
・領域Ａ３：節約額（第４画像Ｉ４）、資産運用額（第２画像Ｉ２）を含む領域
【００３８】
図４に示すように、現在（３０歳）から、予め定められた時点ＳＴの一例である引退年齢（６５歳）までにおける、資産の経年変化を表す第１画像Ｉ１と、その期間に対応する第３画像Ｉ３が合わせて表示される。また、第５画像Ｉ５も領域Ａ２に表示され、第５画像Ｉ５に含まれる記号（「＜」又は「＞」）を選択することにより、ユーザーの引退年齢を増減させることができる。そして、引退年齢の変化に応じて、第１画像Ｉ１が動的に変化する。
【００３９】
例えば、引退年齢を７０歳に変更した場合、図５に示すように、資産予想額（第１画像Ｉ１）の形状が変更される。これは、引退年齢を考慮して予測部１２が予測処理を実行した結果である。ここで、図５の例では、第５画像Ｉ５に対する操作により、引退年齢を変更した場合を示しているが、第２画像Ｉ２に対する操作により資産運用額が変更された場合、及び、第４画像Ｉ４に対する操作により節約額が変更された場合でも、予測処理が再実行され、第１画像Ｉ１の形状が変更されることが好ましい。なお、これらの情報は、第２画像Ｉ２、第４画像Ｉ４、第５画像Ｉ５に対する操作に代えて、設定画面から編集してもよい。
【００４０】
ここで、ユーザーが設定した引退年齢では、資産予想額が理想額を超えないと予測される場合には、ユーザーに対して「理想額に達するためには、７０歳まで働く必要があります」等のメッセージを提示してもよい。
【００４１】
また、領域Ａ３には、第４画像Ｉ４及び第２画像Ｉ２が合わせて表示される。ここで、図４の例では、第４画像Ｉ４及び第２画像Ｉ２はスライダーを含み、ユーザーがスライダーを操作することにより、節約額及び運用額を変更することができる。
【００４２】
第２画像Ｉ２、第４画像Ｉ４、第５画像Ｉ５により調整された値は、設定部１５により設定又は仮設定される。
【００４３】
また、ユーザーが金融商品を確認するときには、「資産運用の商品を見る」アイコンを選択することにより、別の画面遷移し、提示部１８による金融商品情報の提示がなされる。
【００４４】
また、予め定められた期間にわたってユーザーの口座残高が予め定められた基準ラインを上回った場合について確認したい場合には、下線付きの「安心ライン（基準ラインの一例）」を選択することにより、別の画面に遷移し、安心ラインの定義について確認することができる。ここで、基準ラインの定義は任意であるが、例えば、「口座残高が手取りの３ヶ月以上」としてもよい。
【００４５】
（２）設定画面
図６〜図８は、設定画面の一例である。図６〜図８はこの順に連続しており、ユーザー端末３を操作することにより互いにスクロール可能である。
【００４６】
図６に示すように、設定画面には、現在の年齢及び引退年齢、年金受給年齢等の「年齢」に関する項目が含まれる。また、月収、ボーナス、毎月の支出額等の「給与／支出」に関する項目が含まれる。
【００４７】
また、図７に示すように、設定画面には、貯金、資産運用、毎月の積立運用額等の「貯金／資産運用」に関する項目が含まれる。また、子供の人数、年齢、誕生日、学校の種別等の「子供」に関する項目が含まれる。ここで、学校の種別は、ライフプランの一例である。
【００４８】
また、図８に示すように、設定画面には、退職金の予想額、老後の毎月の支出等の「老後」に関する項目が含まれる。そして、これらの項目に入力された内容を設定する場合には、「設定する」アイコンを選択する。これにより、ユーザー端末３から入力された設定情報が情報処理装置１に送信され、受付部１６が設定情報を受け付ける。そして、受付部１６が受け付けた設定情報を反映させて、予測部１２による予測処理が実行される。
【００４９】
このとき、予め定められた時点（図６の例では、引退年齢である６２歳）のときの資産額の予想額（４，６００万円）と、理想額（４，０００万円）を並べて表示してもよい。
【００５０】
なお、図６〜図８の例では、各種項目における情報入力は、スライダー形式のアイコン、又は自由入力のテキスト入力ボックスとしているが、これらに限定されず、任意の形式で種々の情報を入力できればよい。
【００５１】
５．提示情報
図９は、ユーザー端末３の表示部３５に表示される提示情報の一例である。図９の例では、提示情報には、以下の内容が含まれる。
・総合評価：老後資産の等級、おすすめの趣味、一言コメント
・引退時の資産：理想額と予測された資産の過不足分を提示
・老後パワーランキング：他のユーザーと比較した総合順位
・老後の生活資金：１ヶ月あたりにかかると予想される生活資金の額
・おすすめの本：ユーザーの好み又は資産状況を考慮したおすすめの本のタイトル
・おすすめの名言：ユーザーの好み又は資産状況を考慮したおすすめの名言
・老後の趣味代：おすすめの趣味にかかる１ヶ月あたりの代金
・お金が尽きる年齢：現状の生活を継続した場合に資産が尽きると予想される年齢
・引退可能年齢：現状の生活を継続した場合に、資産が理想額に達すると予測されるまでに要する年齢
・遺族へ残せる資産：現状の生活を継続した場合に、自分が亡くなった後に遺族へ残せる資産の予想額
【００５２】
ここで、記憶部３０には、複数の提示情報が記憶されている。また、図９に示される各種カテゴリー毎に、複数の提示情報を記憶してもよい。例えば、「等級（例：チワワ級）」、「おすすめの趣味」、「おすすめの本」、「おすすめの名言」毎に複数の情報を記憶する。そして、選択部１７は、予測部１２により予測されたユーザーの引退年齢の時点におけるユーザーの資産額に基づいて、複数の提示情報から特定の提示情報を選択可能に構成されてもよい。そして、提示部１８は、選択部１７により選択された提示情報をユーザー端末２の表示部３５に提示する。
【００５３】
６．趣味情報
次に、提示情報の一例である趣味情報について説明する。図１０は、記憶部３０に記憶される趣味データの一例である。趣味データは、老後の趣味として人気のあるものについて、一定期間（例：１ヶ月）にかかる費用の目安毎に、複数のクラスにカテゴリー分けしたものである。また、予め定められた時点における資産予想額と、複数の趣味データをクラス毎に対応付けて記憶することが好ましい。これにより、老後の資産に余裕がない人にはあまりお金がかからないクラスの趣味を提案し、老後の資産に余裕がある人には贅沢な趣味を提案することが可能になる。また、種々の情報からユーザーの好みを推定し、特定のクラス内における趣味のうち、ユーザーの嗜好に合いそうな趣味を提案してもよい。そして、図９に示されるように、提示部１８は、選択部１７により選択された趣味データを、趣味情報としてユーザー端末２の表示部３５に提示する。なお、上述の提示情報のうち、等級データ（総合評価に含まれる等級情報を表すデータ）、本データ（おすすめの本情報を表すデータ）、名言データ（おすすめの名言を表すデータ）についても、趣味情報と同様の処理が実行されてもよい。
【００５４】
７．情報処理装置１による処理
次に、図１１を用いて、情報処理装置１による処理の流れについて説明する。
【００５５】
まず、Ａ１１において、ユーザー端末３によりサービスが起動され、情報処理装置１はサービスの起動を確認する。そして、ユーザー端末３に図４に示されるトップ画像が表示される。
【００５６】
次に、Ａ２において、資産情報取得部１１により、データベース２ユーザーの資産情報が取得される。このとき、資産情報として、口座情報も取得することが好ましい。
【００５７】
次に、Ａ３において、ユーザーに関する情報の初期設定がなされる。これは、図５〜図８に示される設定画面により行われる。このとき、Ａ２で取得した資産情報を反映させた画面が情報処理装置１により生成されることが好ましい。そして、必要に応じてユーザーが個別に情報を記入又は変更する。これにより、ユーザーの初期設定の負担が低減される。
【００５８】
次に、Ａ４及びＡ５において、設定部１５により、資産運用額のデフォルト額及び資産運用額の上限が設定される。
【００５９】
ここで、Ａ３〜Ａ５はこの順で実行される必要はなく、任意の順で実行されてもよい。
【００６０】
次に、Ａ６において、画像生成部１３により、画像が生成される。この画像には、第１画像Ｉ１〜第５画像Ｉ５の少なくとも１つが含まれる。
【００６１】
ユーザーによる第２画像Ｉ２に対する操作により、資産運用額が変更された場合、Ａ７ａに処理を進め、資産運用額を仮設定する。換言すると、初期設定において設定された資産運用額を変更する。
【００６２】
また、ユーザーによる第５画像Ｉ５に対する操作により、引退年齢が変更された場合、Ａ７ｂに処理を進め、引退年齢を設定する。換言すると、初期設定において設定された引退年齢を変更する。
【００６３】
次に、Ａ８において、予測部１２により、予測処理が実行される。これにより、予め定められた時点におけるユーザーの資産額又は資産の推移が予測される。
【００６４】
そして、Ａ９において、画像生成部１３により、第１画像Ｉ１が生成される。そして、設定画面を操作するか、第２画像Ｉ２、第４画像Ｉ４又は第５画像Ｉ５に対する操作により、設定情報が変更されると、Ａ８の予測処理を繰り返す。これにより、設定情報の変更の前後で、図４及び図５に示すように、第１画像Ｉ１の形状が変更される。
【００６５】
一方、設定情報の変更がない場合には、処理を終了する。
【００６６】
８．まとめ
以上説明した処理により、ユーザーは自分がどの程度の額を資産運用に回すことが好ましいかについて直感的に把握することが可能になる。また、第２画像Ｉ２、第４画像Ｉ４、第５画像Ｉ５のいずれかに対する操作により、種々の設定情報が変更されたことに応じて第１画像Ｉ１の形状が変化するので、様々な状況を想定したシミュレーション結果を容易に確認することが可能になる。
【００６７】
９．その他
上述の説明では、情報処理装置１が種々の機能を備える構成としたが、資産情報取得部１１〜提示部１８の機能をユーザー端末３に実現させてもよい。この場合、情報処理装置１は、上記機能を実現させるアプリ（プログラム）を配信し、ユーザー端末３にインストールしてもらうことが好ましい。また、資産情報取得部１１及び予測部１２を情報処理装置１とユーザー端末３で分担して実行してもよい。また、ユーザーが他人に本サービスを紹介する際に、ユーザーの実際の資産を伏せた状態で画面を表示する「紹介モード」に切り替えることが可能に構成してもよい。
【００６８】
次に記載の各態様で提供されてもよい。
前記情報処理装置において、前記画像生成部は、第３画像を生成可能に構成され、前記第３画像は、理想額を含む画像であり、ここで、前記理想額は、現在から前記予め定められた時点までの特定時点における資産であって、予め定められた額であり、前記画像生成部は、前記第１画像及び前記第３画像がユーザー端末の表示部における同一画面に表示されるように、前記第１画像及び前記第３画像を生成し、ここで、前記ユーザー端末は、前記ユーザーが利用する端末である、情報処理装置。
前記情報処理装置において、前記予測部は、前記第２画像に基づいて前記資産運用額が仮設定されると、前記仮設定された前記資産運用額に基づいて、前記予測処理を実行する、情報処理装置。
前記情報処理装置において、口座情報取得部、及び設定部を備え、前記資産情報は、前記ユーザーの銀行口座又は仮想口座に関する口座情報を含み、前記口座情報取得部は、前記口座情報を取得可能に構成され、ここで、前記口座情報は、前記銀行口座若しくは前記仮想口座の残高又は入出金に関する情報を含み、前記設定部は、前記口座情報取得部により取得された前記口座情報に基づいて、仮設定可能な前記資産運用額の上限額を設定可能に構成される、情報処理装置。
前記情報処理装置において、設定部を備え、前記設定部は、前記資産情報取得部により取得された前記資産情報に基づいて、前記資産運用額のデフォルト額を設定可能に構成される、情報処理装置。
前記情報処理装置において、前記画像生成部は、第４画像を生成可能に構成され、前記第４画像は、予め定められた期間において、前記ユーザーが節約する節約額を設定可能な画像であり、前記画像生成部は、前記第２画像及び前記第４画像がユーザー端末の表示部における同一画面に表示されるように、前記第２画像及び前記第４画像を生成し、ここで、前記ユーザー端末は、前記ユーザーが利用する端末である、情報処理装置。
前記情報処理装置において、設定部を備え、前記設定部は、前記第４画像に基づいて設定された前記節約額に基づいて、前記仮設定可能な前記資産運用額の上限額を設定可能に構成される、情報処理装置。
前記情報処理装置において、受付部を備え、前記受付部は、前記ユーザーの引退年齢、年金の受給開始年齢、扶養者の数、及び前記扶養者のライフプランの少なくとも１つを表す設定情報を受付可能に構成され、前記予測部は、前記受付部により受け付けられた前記設定情報に基づいて、前記予測処理を実行する、情報処理装置。
前記情報処理装置において、前記画像生成部は、第５画像を生成可能に構成され、前記第５画像は、前記引退年齢を設定可能な画像であり、前記画像生成部は、前記第１画像及び前記第５画像がユーザー端末の表示部における同一画面に表示されるように、前記第１画像及び前記第５画像を生成し、ここで、前記ユーザー端末は、前記ユーザーが利用する端末である、情報処理装置。
前記情報処理装置において、前記予測部は、前記第５画像に基づいて前記引退年齢が設定されると、前記設定された前記引退年齢に基づいて、前記予測処理を実行する、情報処理装置。
前記情報処理装置において、提示部を備え、前記提示部は、前記第２画像に基づいて仮設定された前記資産運用額に基づいて、予め定められた金融商品を表す金融商品情報を提示可能に構成される、情報処理装置。
前記情報処理装置において、前記画像生成部は、予め定められた期間にわたって前記ユーザーの口座残高が予め定められた基準ラインを上回った場合、前記ユーザーによる入力操作を受付可能な前記第３画像を生成可能に構成される、情報処理装置。
前記情報処理装置において、選択部及び提示部を備え、前記選択部は、前記予測部により予測された前記ユーザーの引退年齢の時点における前記ユーザーの資産額に基づいて、複数の提示情報から特定の提示情報を選択可能に構成され、前記提示部は、前記選択部により選択された前記提示情報を提示可能に構成される、情報処理装置。
プログラムであって、コンピュータを、前記情報処理装置として機能させるプログラム。
もちろん、この限りではない。
【００６９】
また、上述のコンピュータを、資産情報取得部、予測部、画像生成部として機能させるプログラムを格納する、コンピュータ読み取り可能な非一時的な記録媒体として提供してもよい。
【００７０】
最後に、本発明に係る種々の実施形態を説明したが、これらは、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれると共に、特許請求の範囲に記載された発明とその均等の範囲に含まれるものである。
上述した実施形態及び複数の変形例は任意に組み合わせて実行することができる。
【符号の説明】
【００７１】
１      ：情報処理装置
２      ：データベース
３      ：ユーザー端末
１０    ：制御部
１１    ：資産情報取得部
１２    ：予測部
１３    ：画像生成部
１４    ：口座情報取得部
１５    ：設定部
１６    ：受付部
１７    ：選択部
１８    ：提示部
２０    ：通信部
３０    ：記憶部
３５    ：表示部
４０    ：入力部
５０    ：表示部
１００  ：システム
Ａ１    ：領域
Ａ２    ：領域
Ａ３    ：領域
Ｉ１    ：第１画像
Ｉ２    ：第２画像
Ｉ３    ：第３画像
Ｉ４    ：第４画像
Ｉ５    ：第５画像
ＮＷ    ：ネットワーク
【要約】
【課題】資産運用に不慣れなユーザーであっても、自分に適した資産運用額を把握可能な情報処理装置及びプログラムを提供すること。
【解決手段】本発明の一態様によれば、情報処理装置であって、資産情報取得部、予測部、及び画像生成部を備え、前記資産情報取得部は、ユーザーの資産に関する資産情報を取得可能に構成され、前記予測部は、予め定められた時点における前記ユーザーの資産額を予測する予測処理を実行可能に構成され、前記画像生成部は、第１画像及び第２画像を生成可能に構成され、前記第１画像は、前記予測部により予測された資産額であって、前記特定時点における資産額を含む画像であり、前記第２画像は、資産運用額を仮設定可能な画像であり、前記第２画像に基づいて仮設定された前記資産運用額に応じて、前記第１画像を変化可能に構成される、情報処理装置が提供される。
【選択図】図１【図１】
0006899616.tif 000002
【図２】
0006899616.tif 000003
【図３】
0006899616.tif 000004
【図４】
0006899616.tif 000005
【図５】
0006899616.tif 000006
【図６】
0006899616.tif 000007
【図７】
0006899616.tif 000008
【図８】
0006899616.tif 000009
【図９】
0006899616.tif 000010
【図１０】
0006899616.tif 000011
【図１１】
0006899616.tif 000012